(57)【要約】【課題】設備に設置した複数の負荷を複数のグループに分けて、各グループの負荷に三相交流電源の異なる相の電力を分配する。【解決手段】トンネル１００に設置した複数の照明装置２００を３つのグループに分け、各グループの照明装置２００に、接続ケーブル９ａ〜９ｃを介して負荷側コネクタ１３ａ〜１３ｃを接続する。接続ケーブル９ａ〜９ｃや負荷側コネクタ１３ａ〜１３ｃに、２本の給電線９ｒ，９ｓ（９ｓ，９ｔ、９ｔ，９ｒ）及び接地線９ｅや、２つの端子スリーブ１３ｒ，１３ｓ（１３ｓ，１３ｔ、１３ｔ，１３ｒ）及び接地用の端子スリーブ１３ｅをそれぞれ設ける。各負荷側コネクタ１３ａ〜１３ｃを、トンネル１００内に敷設された幹線ケーブル３の分岐部７から分岐された分岐ケーブル５の電源側コネクタ１１に接続し、各グループの照明装置２００に、三相交流電源のＲＳ相、ＳＴ相及びＴＲ相の各電力を分配する。【選択図】図１
2019102171.tif 000002
【特許請求の範囲】
【請求項１】
三相交流の各相にそれぞれ対応する３つの電源側端子が少なくとも端子収容室に配置された電源側コネクタと、
前記電源側コネクタとの嵌合により前記３つの電源側端子のうち接続対象の２つの電源側端子と接続され、前記電源側コネクタとの嵌合方向の周りの回転方向における姿勢に応じて前記接続対象の２つの電源側端子の内訳が変わる２つの負荷側端子が、少なくとも端子収容室に配置された負荷側コネクタと、
を備えるコネクタユニット。
【請求項２】
前記電源側コネクタの前記端子収容室には接地用端子がさらに配置されており、
前記負荷側コネクタの前記端子収容室には、前記電源側コネクタとの嵌合により前記接続対象の２つの電源側端子に前記２つの負荷側端子が接続される姿勢において、前記電源側コネクタとの嵌合により該電源側コネクタの前記接地用端子と接続される接地用端子がさらに配置されている、
請求項１記載のコネクタユニット。
【請求項３】
前記電源側コネクタの前記端子収容室の前記各端子は、前記回転方向における回転対称位置にそれぞれ配置されている請求項１又は２記載のコネクタユニット。
【請求項４】
前記負荷側コネクタは、前記電源側コネクタと嵌合する姿勢が互いに異なる複数種類の負荷側コネクタを含んでおり、
各種類の前記負荷側コネクタは、自身の種類に対応する体裁の識別マークを表面にそれぞれ有しており、
前記電源側コネクタは、前記負荷側コネクタの各種類の前記識別マークとそれぞれ体裁が同じ前記負荷側コネクタの種類別の姿勢合わせマークを、表面の互いに異なる位置にそれぞれ有しており、
各種類の前記負荷側コネクタの前記識別マークは、前記負荷側コネクタが正規の姿勢で嵌合した前記電源側コネクタの同じ体裁の前記姿勢合わせマークが配置された表面に連なる表面に配置されている、
請求項１、２又は３記載のコネクタユニット。
【請求項５】
設備に延設されて三相交流電源の各相の電力を送電する幹線ケーブルと、
前記幹線ケーブルから分岐されて前記三相交流電源の各相の電力を送電する複数の分岐ケーブルと、
前記設備に設置される複数の負荷にそれぞれ接続され、三相交流電源の各相の電力のうち前記負荷に供給する２つの相の電力に対応する２つの給電線を有する複数の接続ケーブルと、
前記各分岐ケーブルと前記各接続ケーブルとの接続部にそれぞれ設けられた電源側コネクタ及び負荷側コネクタとを備え、
前記電源側コネクタ及び負荷側コネクタとして、請求項１、２、３又は４記載のコネクタユニットの電源側コネクタ及び負荷側コネクタを用いた、
電源ケーブルユニット。
【発明の詳細な説明】
【技術分野】
【０００１】
本発明は、三相交流電源の電力を電源ケーブルにより複数の負荷に分配する技術に関する。
【背景技術】
【０００２】
例えば、トンネルに設置されて外部の三相交流電源から供給される電力で点灯する照明装置が知られている（例えば、特許文献１）。
【先行技術文献】
【特許文献】
【０００３】
【特許文献１】特開２０１２−１８５９０５号公報
【発明の概要】
【発明が解決しようとする課題】
【０００４】
ところで、トンネルには、トンネルの長さに応じた数の照明装置が設置される。各照明装置には、トンネル内に敷設した電源ケーブルにより、外部の電源から供給された電力が分配される。電源ケーブルは、トンネルに沿って延設される幹線ケーブルと、幹線ケーブルから分岐されて各照明装置にそれぞれ接続される複数の接続ケーブルとを含んで構成される。
【０００５】
そこで、トンネル内の複数の照明装置に三相交流電源からの電力を分配する場合は、それらの照明装置を複数のグループに分け、接続ケーブルを介して各グループの照明装置に異なる相の電力を分配することが考えられる。各照明装置に分配する電力の相をグループ毎に異ならせれば、特定の相の電力が偏って照明装置に供給されるのを防ぎ、各相の電力を複数の照明装置に均等に消費させることができる。
【０００６】
但し、その場合は、接続相手の照明装置に供給しない電力の相に対応する電線を間引いて接続ケーブルを構成する必要がある。接続する照明装置のグループ毎に接続ケーブルの間引く電線の相が異なる電源ケーブルは、設計や製造に手間がかかり、製造後の通電試験も面倒になる。
【０００７】
しかも、照明装置側に仕様変更が生じると、変更後の仕様に合わせた相の電力を照明装置に供給するために、仕様が変わった照明装置に接続する接続ケーブルを含む電源ケーブルの全体をまるごと新しい仕様に合わせたものに交換する必要がある。
【０００８】
あるいは、電源ケーブルの全体を交換する代わりに、幹線ケーブルの分岐箇所を分解して、仕様が変わった照明装置に接続する接続ケーブルを新しい仕様の接続ケーブルに交換する必要が生じる。
【０００９】
本発明は前記事情に鑑みなされたもので、本発明の目的は、トンネル等の設備に複数設置した照明装置等の負荷を複数のグループに分けて、各グループの負荷に三相交流電源の異なる相の電力を分配する際に利用できる、設計や製造が容易で負荷の交換による仕様変更にも簡便な作業で対応できる電源ケーブルユニットと、この電源ケーブルユニットに用いて好適なコネクタユニットとを提供することにある。
【課題を解決するための手段】
【００１０】
上記目的を達成するため本発明の第１の態様によるコネクタユニットは、
三相交流の各相にそれぞれ対応する３つの電源側端子が少なくとも端子収容室に配置された電源側コネクタと、
前記電源側コネクタとの嵌合により前記３つの電源側端子のうち接続対象の２つの電源側端子と接続され、前記電源側コネクタとの嵌合方向の周りの回転方向における姿勢に応じて前記接続対象の２つの電源側端子の内訳が変わる２つの負荷側端子が、少なくとも端子収容室に配置された負荷側コネクタと、
を備える。
【００１１】
本発明の第１の態様によるコネクタユニットによれば、電源側コネクタと嵌合する際の負荷側コネクタの姿勢を変えると、電源側コネクタの３つ電源側端子のうち負荷側コネクタの２つの負荷側端子が接続される２つの端子の内訳が変わる。
【００１２】
そこで、設備に設置した複数の負荷を複数のグループに分けて、各グループ毎に三相交流電源の異なる相の電力を負荷に分配する際には、三相交流電源側の電源ケーブルに電源側コネクタを接続し、負荷側の電源ケーブルに負荷側コネクタを接続する。そして、負荷に分配する電力の相に応じた姿勢で、負荷側コネクタを電源側コネクタに嵌合する。
【００１３】
このとき、電源側コネクタを接続する三相交流電源側の電源ケーブルは、電源側コネクタの３つの電源側端子に対応して、３つの相の電力の全てに対応する電線を有するケーブルで構成することができる。
【００１４】
一方、負荷側コネクタを接続する負荷側の電源ケーブルは、負荷側コネクタの２つの負荷側端子に対応して、負荷に供給する２つの相の電力のみに対応する電線を有するケーブルで構成することができる。
【００１５】
そして、嵌合した電源側コネクタと負荷側コネクタとの間では、負荷側コネクタの２つの負荷側端子が、電源側コネクタの３つ電源側端子のうち負荷側コネクタの姿勢に対応する接続対象の２つの電源側端子に接続される。
【００１６】
このため、三相交流電源の３つの相のうち、負荷側コネクタの姿勢に応じて２つの負荷側端子が接触する電源側コネクタの接続対象の２つの電源側端子に対応する２つの相の電力が、両コネクタを介して三相交流電源側の電源ケーブルから負荷側の電源ケーブルに分配される。
【００１７】
なお、例えば負荷の仕様が変わって負荷に供給する電力の相が変わる場合は、仕様が変わった負荷の電力ケーブルに接続した負荷側コネクタを、変わった仕様に応じた姿勢で電源側コネクタに嵌合すればよい。電源側コネクタに嵌合する際の負荷側コネクタの姿勢を変えることで、両コネクタを介して三相交流電源側の電源ケーブルから負荷側の電源ケーブルに供給される電力の相が、変わった後の負荷の仕様に応じた相に変わる。
【００１８】
したがって、設備に設置した複数の負荷を複数のグループに分けて、各グループの負荷に三相交流電源の異なる相の電力を分配する際に、設計や製造が容易で負荷の交換による仕様変更にも簡便な作業で対応できる電源ケーブルを利用できるようにすることができる。
【００１９】
また、本発明の第２の態様によるコネクタユニットは、本発明の第１の態様によるコネクタユニットにおいて、
前記電源側コネクタの前記端子収容室には接地用端子がさらに配置されており、
前記負荷側コネクタの前記端子収容室には、前記電源側コネクタとの嵌合により前記接続対象の２つの電源側端子に前記２つの負荷側端子が接続される姿勢において、前記電源側コネクタとの嵌合により該電源側コネクタの前記接地用端子と接続される接地用端子がさらに配置されている。
【００２０】
本発明の第２の態様によるコネクタユニットによれば、本発明の第１の態様によるコネクタユニットにおいて、負荷に分配する電力の相に応じた姿勢で、負荷側コネクタを電源側コネクタに嵌合すると、両コネクタの接地用端子同士が接続される。
【００２１】
このため、負荷側コネクタを適切な姿勢で電源側コネクタと嵌合させることで、三相交流電源側及び負荷間の電力供給回路と接地回路とを同時に形成させることができる。
【００２２】
さらに、本発明の第３の態様によるコネクタユニットは、本発明の第１又は第２の態様によるコネクタユニットにおいて、前記電源側コネクタの前記端子収容室の前記各端子は、前記回転方向における回転対称位置にそれぞれ配置されている。
【００２３】
さらに、本発明の第３の態様によるコネクタユニットによれば、本発明の第１又は第２の態様によるコネクタユニットにおいて、電源側コネクタの端子収容室の端子数をｎとした場合、電源側コネクタに対する負荷側コネクタの回転方向におけるｎ回対称の位置に、電源側コネクタの各端子がそれぞれ配置される。
【００２４】
このため、電源側コネクタに対する負荷側コネクタの姿勢を回転方向に２π／ｎ（３６０°のｎ分の１の角度）ずつ変える簡便な作業で、負荷側コネクタの２つの負荷側端子が接続される電源側コネクタの２つの電源側端子の内訳を変えて、三相交流電源から負荷に分配される電力の相を変えることができる。
【００２５】
また、本発明の第４の態様によるコネクタユニットは、本発明の第１、第２又は第３の態様によるコネクタユニットにおいて、
前記負荷側コネクタは、前記電源側コネクタと嵌合する姿勢が互いに異なる複数種類の負荷側コネクタを含んでおり、
各種類の前記負荷側コネクタは、自身の種類に対応する体裁の識別マークを表面にそれぞれ有しており、
前記電源側コネクタは、前記負荷側コネクタの各種類の前記識別マークとそれぞれ体裁が同じ前記負荷側コネクタの種類別の姿勢合わせマークを、表面の互いに異なる位置にそれぞれ有しており、
各種類の前記負荷側コネクタの前記識別マークは、前記負荷側コネクタが正規の姿勢で嵌合した前記電源側コネクタの同じ体裁の前記姿勢合わせマークが配置された表面に連なる表面に配置されている。
【００２６】
本発明の第４の態様によるコネクタユニットによれば、本発明の第１、第２又は第３の態様によるコネクタユニットにおいて、各種類の負荷側コネクタが正規の姿勢で電源側コネクタと嵌合すると、負荷側コネクタの識別マークが配置された表面と、この識別マークと体裁が同じ電源側コネクタの姿勢合わせマークが配置された表面とが、連なって配置される。
【００２７】
一方、各種類の負荷側コネクタが正規でない姿勢で電源側コネクタと嵌合すると、負荷側コネクタの識別マークが配置された表面と、この識別マークと体裁が同じ電源側コネクタの姿勢合わせマークが配置された表面とが、連なって配置されない。
【００２８】
したがって、電源側コネクタに嵌合した負荷側コネクタの識別マークと、この識別マークと体裁が同じ電源側コネクタの姿勢合わせマークとが、電源側コネクタ及び負荷側コネクタの互いに連なる平面にそれぞれ配置されているか否かによって、負荷側コネクタが電源側コネクタに正規の姿勢で嵌合されたか否かを容易に判別することができる。
【００２９】
さらに、本発明の第５の態様による電源ケーブルユニットは、
設備に延設されて三相交流電源の各相の電力を送電する幹線ケーブルと、
前記幹線ケーブルから分岐されて前記三相交流電源の各相の電力を送電する複数の分岐ケーブルと、
前記設備に設置される複数の負荷にそれぞれ接続され、三相交流電源の各相の電力のうち前記負荷に供給する２つの相の電力に対応する２つの給電線を有する複数の接続ケーブルと、
前記各分岐ケーブルと前記各接続ケーブルとの接続部にそれぞれ設けられた電源側コネクタ及び負荷側コネクタとを備え、
前記電源側コネクタ及び負荷側コネクタとして、本発明の第１、第２、第３又は第４の態様によるコネクタユニットの電源側コネクタ及び負荷側コネクタを用いたものである。
【００３０】
本発明の第５の態様による電源ケーブルユニットによれば、幹線ケーブルから分岐された各分岐ケーブルの電源側コネクタと各接続ケーブルの負荷側コネクタとを嵌合して、各負荷を三相交流電源に接続することで、本発明の第１、第２、第３又は第４の態様によるコネクタユニットによって得られる効果を得ることができる。
【発明の効果】
【００３１】
本発明によれば、設備に複数設置した負荷を複数のグループに分けて、各グループの負荷に三相交流電源の異なる相の電力を分配する際に、設計や製造が容易で負荷の交換による仕様変更にも簡便な作業で対応できる電源ケーブルユニットを用いて、各負荷に三相交流電源の電力を分配することができる。
【図面の簡単な説明】
【００３２】
【図１】本発明の一実施形態に係り三相交流電源の各相の電力を複数の負荷に分配する電源ケーブルユニットの概略構成を示す説明図である。
【図２】（ａ）は図１の電源側コネクタの嵌合面側から見た正面図、（ｂ）は図１の負荷側コネクタの嵌合面側から見た正面図である。
【図３】（ａ）は図２（ａ）の電源側コネクタの端子収容室に配置された電源側端子及び接地用端子の配置を電源側コネクタの嵌合面側から見て模式的に示す説明図、（ｂ）〜（ｄ）は図２（ｂ）のＲＳ相用、ＳＴ相用、ＴＲ相用の各負荷側コネクタの端子収容室に配置された電源側端子及び接地用端子の配置を負荷側コネクタの嵌合面側から見て模式的に示す説明図である。
【図４】図３（ａ）の電源側コネクタと図３（ｂ）の負荷側コネクタとを正規の姿勢で嵌合した状態を示す斜視図である。
【発明を実施するための形態】
【００３３】
以下、本発明の一実施形態について、図面を参照して説明する。各図面を通じて同一もしくは同等の部位や構成要素には、同一もしくは同等の符号を付している。
【００３４】
以下に示す実施形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００３５】
図１は本発明の一実施形態に係り三相交流電源の各相の電力を複数の負荷に分配する電源ケーブルユニットの概略構成を示す説明図である。図１に示す本実施形態の電源ケーブルユニット１は、三相交流電源の各相の電力をトンネル１００（請求項中の設備に相当）内の照明装置２００（請求項中の負荷に相当）に送電するものである。
【００３６】
照明装置２００は、図１中では、図面の見やすさのため１つしか図示していないが、トンネル１００には、トンネル１００の長さに応じて複数の照明装置２００が間隔をおいて設置されている。各照明装置２００は、例えば高圧ナトリウム灯、蛍光灯、メタルハライド灯、セラミックメタルハライド灯、低圧ナトリウム灯、蛍光水銀灯、発光ダイオード（ＬＥＤ）等の光源や、電源回路を含む光源の駆動回路等をそれぞれ有している。
【００３７】
電源ケーブルユニット１は、トンネル１００内に敷設された幹線ケーブル３と、幹線ケーブル３の分岐部７から分岐された分岐ケーブル５と、分岐ケーブル５に接続される接続ケーブル９とを有している。
【００３８】
幹線ケーブル３の分岐部７は、図１中では、図面の見やすさのため１つしか図示していないが、幹線ケーブル３には、トンネル１００の長さに応じて複数の分岐部７が間隔をおいて設けられている。そして、電源ケーブルユニット１は、各分岐部７において幹線ケーブル３からそれぞれ分岐された複数の分岐ケーブル５と、各分岐ケーブル５にそれぞれ接続される複数の接続ケーブル９とを有している。
【００３９】
幹線ケーブル３は、トンネル１００の外から三相交流電源の電力をトンネル１００内に引き込む電源ケーブルである。幹線ケーブル３は、ＲＳＴの各相に対応する給電線３ｒ，３ｓ，３ｔと接地線３ｅとの４本の絶縁電線をシース（絶縁被覆）で覆ったケーブルで構成されている。
【００４０】
各分岐ケーブル５は、トンネル１００内に引き込んだ三相交流電源の電力を各照明装置２００に分配する電源ケーブルである。各分岐ケーブル５は、ＲＳＴの各相に対応する給電線５ｒ，５ｓ，５ｔと接地線５ｅとの４本の絶縁電線をシース（絶縁被覆）で覆ったケーブルで構成されている。
【００４１】
各分岐部７は、幹線ケーブル３の途中にそれぞれ設けられている。各分岐部７は絶縁モールド７ａでそれぞれ覆われている。各絶縁モールド７ａ内では、幹線ケーブル３に各分岐ケーブル５の一端が結線されている。
【００４２】
具体的には、幹線ケーブル３のシース及び絶縁被覆を剥がして露出させた給電線３ｒ，３ｓ，３ｔ及び接地線３ｅの芯線と、各分岐ケーブル５のシース及び絶縁被覆を剥がして露出させた給電線５ｒ，５ｓ，５ｔ及び接地線５ｅの芯線とが、絶縁モールド７ａ内で結線されている。
【００４３】
各接続ケーブル９は、幹線ケーブル３から各分岐ケーブル５に分配した三相交流電源の電力を各照明装置２００に送電する電源ケーブルである。本実施形態の電源ケーブルユニット１は、複数の接続ケーブル９として、ＲＳ相、ＳＴ相及びＴＲ相の３種類の接続ケーブル９ａ〜９ｃを複数本ずつ有している。
【００４４】
このうち、ＲＳ相の各接続ケーブル９ａは、ＲＳＴの３相のうちＲＳの２相に対応する２本の給電線９ｒ，９ｓと接地線９ｅとの３本の絶縁電線をシースで覆ったケーブルで構成されている。
【００４５】
また、ＳＴ相の各接続ケーブル９ｂは、ＲＳＴの３相のうちＳＴの２相に対応する２本の給電線９ｓ，９ｔと接地線９ｅとの３本の絶縁電線をシースで覆ったケーブルで構成されている。
【００４６】
さらに、ＴＲ相の各接続ケーブル９ｃは、ＲＳＴの３相のうちＴＲの２相に対応する２本の給電線９ｔ，９ｒと接地線９ｅとの３本の絶縁電線をシースで覆ったケーブルで構成されている。
【００４７】
つまり、各種類の接続ケーブル９ａ〜９ｃは、３本の絶縁電線をシースで覆った共通のケーブルで構成することができる。
【００４８】
そして、各種類の接続ケーブル９ａ〜９ｃの一端は、３つのグループに分けた各グループの複数の照明装置２００の駆動回路にそれぞれ接続されている。
【００４９】
各分岐ケーブル５の他端と各接続ケーブル９（９ａ〜９ｃ）の他端との接続には、本発明の一実施形態に係るコネクタユニット１０が用いられる。
【００５０】
本実施形態のコネクタユニット１０は、各分岐ケーブル５の他端にそれぞれ接続される電源側コネクタ１１と、各接続ケーブル９（９ａ〜９ｃ）の他端にそれぞれ接続される負荷側コネクタ１３（１３ａ〜１３ｃ）とを有している。
【００５１】
各電源側コネクタ１１は雄コネクタで構成されている。嵌合面側から見た図２（ａ）の正面図に示すように、各電源側コネクタ１１のコネクタハウジング１１ａは、コネクタフード１１ｂを有している。コネクタフード１１ｂは、四隅を円弧形状とした正四角形の開口を有している。即ち、コネクタフード１１ｂは、開口からの奥行き方向Ｘ（請求項中の嵌合方向に相当）の周りの回転方向Ｙにおける回転対称形状を有している。
【００５２】
コネクタフード１１ｂには、コネクタフード１１ｂの外側に向けて２つの誤嵌合防止キー１１ｃが突設されている。
【００５３】
コネクタフード１１ｂの内側には端子収容室１１ｄが形成されている。端子収容室１１ｄには、図３（ａ）の説明図に模式的に示すように、ＲＳＴの各相に対応する給電用の端子ピン１１ｒ，１１ｓ，１１ｔ（請求項中の電源側端子に相当）と、接地用の端子ピン１１ｅ（請求項中の接地用端子に相当）とが配置されている。各端子ピン１１ｒ，１１ｓ，１１ｔ，１１ｅは同じ構造を有している。
【００５４】
各端子ピン１１ｒ，１１ｓ，１１ｔ，１１ｅは、奥行き方向Ｘに沿って、端子収容室１１ｄの奥側から開口側（図２（ａ）の紙面における裏面側から表面側）に向けて突設されている。また、各端子ピン１１ｒ，１１ｓ，１１ｔ，１１ｅは、回転方向Ｙにおける回転対称位置にそれぞれ配置されている。
【００５５】
各端子ピン１１ｒ，１１ｓ，１１ｔ，１１ｅには、各分岐ケーブル５の他端のシース及び絶縁被覆を剥がして露出させた給電線５ｒ，５ｓ，５ｔ及び接地線５ｅの芯線がそれぞれ接続される。
【００５６】
図２（ａ）に示すように、コネクタハウジング１１ａの上部には、ロックビーク１１ｆが形成されている。また、端子収容室１１ｄの最奥部には、芯出し溝１１ｇが形成されている。芯出し溝１１ｇは、縦溝と横溝とを＋型に交差させて構成されている。芯出し溝１１ｇの交差中心は、各端子ピン１１ｒ，１１ｓ，１１ｔ，１１ｅの回転対称中心と同じ位置にある。
【００５７】
各負荷側コネクタ１３は、ＲＳ相、ＳＴ相及びＴＲ相の各接続ケーブル９ａ〜９ｃにそれぞれ接続されるＲＳ相、ＳＴ相及びＴＲ相の３種類の負荷側コネクタ１３ａ〜１３ｃを含んでいる。
【００５８】
図１に示す各負荷側コネクタ１３（１３ａ〜１３ｃ）は、雌コネクタで構成されている。嵌合面側から見た図２（ｂ）の正面図に示すように、各負荷側コネクタ１３（１３ａ〜１３ｃ）のコネクタハウジング１３ｄは、コネクタフード１３ｆを有している。コネクタフード１３ｆの内側にはフロントホルダ１３ｇが設けられている。
【００５９】
コネクタフード１３ｆとフロントホルダ１３ｇとの間には環状空間１３ｈが形成されている。環状空間１３ｈは、電源側コネクタ１１のコネクタフード１１ｂが挿入可能な形状及び大きさを有している。
【００６０】
コネクタフード１３ｆには、コネクタフード１３ｆの外側に向けて２つの誤嵌合防止キー溝１３ｉが形成されている。各誤嵌合防止キー溝１３ｉには、環状空間１３ｈにコネクタフード１１ｂを挿入して負荷側コネクタ１３（１３ａ〜１３ｃ）と嵌合した電源側コネクタ１１の各誤嵌合防止キー１１ｃが、コネクタフード１３ｆの開口側から挿入される。
【００６１】
なお、電源側コネクタ１１の誤嵌合防止キー１１ｃを各負荷側コネクタ１３ａ〜１３ｃの誤嵌合防止キー溝１３ｉに挿入させる構造は、省略してもよい。
【００６２】
フロントホルダ１３ｇの前面には、４つのピン挿入孔１３ｊ，１３ｋ，１３ｌ，１３ｍと、芯出し突起１３ｎとが形成されている。
【００６３】
各ピン挿入孔１３ｊ，１３ｋ，１３ｌ，１３ｍは、コネクタフード１３ｆの奥行き方向Ｘ（請求項中の嵌合方向に相当）の周りの回転方向Ｙにおける回転対称位置に配置されている。各ピン挿入孔１３ｊ，１３ｋ，１３ｌ，１３ｍには、各負荷側コネクタ１３（１３ａ〜１３ｃ）と嵌合した電源側コネクタ１１の各端子ピン１１ｒ，１１ｓ，１１ｔ，１１ｅがそれぞれ挿入される。
【００６４】
芯出し突起１３ｎは、縦片と横片とを＋型に交差させて構成されている。芯出し突起１３ｎの交差中心は、各ピン挿入孔１３ｊ，１３ｋ，１３ｌ，１３ｍの回転対称中心と同じ位置にある。芯出し突起１３ｎは、各負荷側コネクタ１３（１３ａ〜１３ｃ）と嵌合した電源側コネクタ１１の芯出し溝１１ｇに嵌合される。芯出し溝１１ｇに嵌合された芯出し突起１３ｎは、各負荷側コネクタ１３（１３ａ〜１３ｃ）を嵌合した電源側コネクタ１１に対して芯出しする。
【００６５】
フロントホルダ１３ｇの内部空間には端子収容室１３ｏが形成されている。端子収容室１３ｏには、図３（ｂ）〜（ｄ）の説明図に模式的に示すように、ＲＳＴの各相に対応する給電用の端子スリーブ１３ｒ，１３ｓ，１３ｔ（請求項中の負荷側端子に相当）のうち２つと、接地用の端子スリーブ１３ｅ（請求項中の接地用端子に相当）とが配置されている。
【００６６】
詳しくは、ＲＳ相の各接続ケーブル９ａに接続されるＲＳ相の負荷側コネクタ１３ａの端子収容室１３ｏには、図３（ｂ）に示すように、ＲＳ相の２相に対応する２つの端子スリーブ１３ｒ，１３ｓと接地用の端子スリーブ１３ｅとの、３つの端子スリーブが配置されている。
【００６７】
また、ＳＴ相の各接続ケーブル９ａに接続されるＳＴ相の負荷側コネクタ１３ｂの端子収容室１３ｏには、図３（ｃ）に示すように、ＳＴ相の２相に対応する２つの端子スリーブ１３ｓ，１３ｔと接地用の端子スリーブ１３ｅとの、３つの端子スリーブが配置されている。
【００６８】
さらに、ＴＲ相の各接続ケーブル９ｃに接続されるＴＲ相の負荷側コネクタ１３ｃの端子収容室１３ｏには、図３（ｄ）に示すように、ＴＲ相の２相に対応する２つの端子スリーブ１３ｔ，１３ｒと接地用の端子スリーブ１３ｅとの、３つの端子スリーブが配置されている。
【００６９】
各端子スリーブ１３ｒ，１３ｓ，１３ｔ，１３ｅは同じ構造を有している。端子収容室１３ｏに配置した各端子スリーブ１３ｒ，１３ｓ，１３ｔ，１３ｅの開口は、図２（ｂ）に示すように、フロントホルダ１３ｇの前面の裏側において、対応するピン挿入孔１３ｊ，１３ｋ，１３ｌ，１３ｍにそれぞれ臨んでいる。
【００７０】
つまり、各端子スリーブ１３ｒ，１３ｓ，１３ｔ，１３ｅは、その開口が臨むピン挿入孔１３ｊ，１３ｋ，１３ｌ，１３ｍと同じく、回転方向Ｙにおける回転対称位置にそれぞれ配置されている。
【００７１】
したがって、各種類の負荷側コネクタ１３ａ〜１３ｃは、図３（ｂ）〜（ｄ）に示すように、端子収容室１３ｏの３つの端子スリーブの配置を回転方向Ｙにおいて異ならせた、共通の構成のコネクタで構成することができる。
【００７２】
そして、ＲＳ相の負荷側コネクタ１３ａの各端子スリーブ１３ｒ，１３ｓ，１３ｅには、ＲＳ相の各接続ケーブル９ａの他端のシース及び絶縁被覆を剥がして露出させた給電線９ｒ，９ｓ及び接地線９ｅの芯線がそれぞれ接続される。
【００７３】
また、ＳＴ相の負荷側コネクタ１３ｂの各端子スリーブ１３ｓ，１３ｔ，１３ｅには、ＳＴ相の各接続ケーブル９ｂの他端のシース及び絶縁被覆を剥がして露出させた給電線９ｓ，９ｔ及び接地線９ｅの芯線がそれぞれ接続される。
【００７４】
さらに、ＴＲ相の負荷側コネクタ１３ｃの各端子スリーブ１３ｔ，１３ｒ，１３ｅには、ＴＲ相の各接続ケーブル９ｃの他端のシース及び絶縁被覆を剥がして露出させた給電線９ｔ，９ｒ及び接地線９ｅの芯線がそれぞれ接続される。
【００７５】
図２（ｂ）に示すように、各負荷側コネクタ１３ａ〜１３ｃのコネクタハウジング１３ｄの上部には、ロックアーム１３ｐが形成されている。ロックアーム１３ｐは、各負荷側コネクタ１３ａ〜１３ｃと嵌合した電源側コネクタ１１のロックビーク１１ｆに係止される。
【００７６】
なお、電源側コネクタ１１のロックビーク１１ｆと各負荷側コネクタ１３ａ〜１３ｃのロックアーム１３ｐとの係止構造は、省略してもよい。
【００７７】
このように構成された本実施形態の電源ケーブルユニット１では、コネクタユニット１０の各電源側コネクタ１１と負荷側コネクタ１３（１３ａ〜１３ｃ）とを嵌合すると、三相交流電源側の各分岐ケーブル５と各照明装置２００側の各接続ケーブル９（９ａ〜９ｃ）とが接続される。
【００７８】
このとき、ＲＳ相の各接続ケーブル９ａの給電線９ｒ，９ｓには、図１に示すように、接続ケーブル９ａに接続されたＲＳ相の負荷側コネクタ１３ａがＴ相に対応する端子スリーブ１３ｔを有していないことから、ＲＳ相の電力だけが電源側コネクタ１１及び分岐ケーブル５側から送電される。したがって、接続ケーブル９ａが接続されたグループの照明装置２００には、ＲＳ相の電力が分配される。
【００７９】
また、ＳＴ相の各接続ケーブル９ｂの給電線９ｓ，９ｔには、接続ケーブル９ｂに接続されたＳＴ相の負荷側コネクタ１３ｂがＲ相に対応する端子スリーブ１３ｒを有していないことから、ＳＴ相の電力だけが電源側コネクタ１１及び分岐ケーブル５側から送電される。したがって、接続ケーブル９ｂが接続されたグループの照明装置２００には、ＳＴ相の電力が分配される。
【００８０】
さらに、ＴＲ相の各接続ケーブル９ｃの給電線９ｔ，９ｒには、接続ケーブル９ｃに接続されたＴＲ相の負荷側コネクタ１３ｃがＳ相に対応する端子スリーブ１３ｓを有していないことから、ＴＲ相の電力だけが電源側コネクタ１１及び分岐ケーブル５側から送電される。したがって、接続ケーブル９ｃが接続されたグループの照明装置２００には、ＴＲ相の電力が分配される。
【００８１】
なお、上述したように、各負荷側コネクタ１３ａ〜１３ｃの端子スリーブ１３ｒ，１３ｓ，１３ｔ，１３ｅは同じ構造を有している。このため、例えば、ＲＳ相の負荷側コネクタ１３ａは、電源側コネクタ１１に嵌合する際の姿勢を回転方向Ｙに９０゜変えることで、ＳＴ相の負荷側コネクタ１３ｂとして用いることができる。また、姿勢を回転方向Ｙに１８０゜変えることで、ＴＲ相の負荷側コネクタ１３ｃとして用いることができる。
【００８２】
ＳＴ相の負荷側コネクタ１３ｂやＴＲ相の負荷側コネクタ１３も、電源側コネクタ１１に嵌合する際の姿勢を回転方向Ｙに変えることで、他の負荷側コネクタ１３ａ〜１３ｃとして用いることができる。
【００８３】
但し、各負荷側コネクタ１３ａ〜１３ｃを、電源側コネクタ１１に嵌合する際の姿勢を回転方向Ｙに変えて他の負荷側コネクタ１３ａ〜１３ｃとして用いる場合は、ロックビーク１１ｆとロックアーム１３ｐとの係止構造や、誤嵌合防止キー１１ｃの誤嵌合防止キー溝１３ｉへの挿入構造を、省略する必要がある。
【００８４】
ところで、本実施形態のコネクタユニット１０では、図２（ａ）に示すように、電源側コネクタ１１の嵌合面側から見える端子収容室１１ｄの各端子ピン１１ｒ，１１ｓ，１１ｔ，１１ｅが、回転対称位置に配置されている。
【００８５】
このため、電源側コネクタ１１の端子収容室１１ｄを見ただけでは、どれが端子ピン１１ｒ，１１ｓ，１１ｔ，１１ｅであるかを見分けることができない。
【００８６】
また、本実施形態のコネクタユニット１０では、図２（ｂ）に示すように、負荷側コネクタ１３（１３ａ〜１３ｃ）の嵌合面側からフロントホルダ１３ｇで覆われた端子収容室１３ｏの内部を見ることができない。しかも、負荷側コネクタ１３（１３ａ〜１３ｃ）の嵌合面側から見えるフロントホルダ１３ｇの各ピン挿入孔１３ｊ，１３ｋ，１３ｌ，１３ｍは、回転対称位置に配置されている。
【００８７】
このため、負荷側コネクタ１３（１３ａ〜１３ｃ）の嵌合面側からフロントホルダ１３ｇを見ただけでは、どのピン挿入孔１３ｊ，１３ｋ，１３ｌ，１３ｍがどの端子スリーブ１３ｒ，１３ｓ，１３ｔ，１３ｅに対応しているかを見分けることができない。それどころか、負荷側コネクタ１３がＲＳ相、ＳＴ相及びＴＲ相のうちどの負荷側コネクタ１３ａ〜１３ｃであるのかさえ、見分けることができない。
【００８８】
したがって、電源側コネクタ１１と各負荷側コネクタ１３ａ〜１３ｃとを嵌合する際に、電源側コネクタ１１や各負荷側コネクタ１３ａ〜１３ｃを嵌合面側から見ただけでは、各負荷側コネクタ１３ａ〜１３ｃが電源側コネクタ１１に対して正しい姿勢であるかどうかを判断することができない。
【００８９】
そこで、本実施形態のコネクタユニット１０では、図３（ａ）の説明図に模式的に示すように、電源側コネクタ１１に、ＲＳ相、ＳＴ相及びＴＲ相の姿勢合わせマーク１５ｒ，１５ｓ，１５ｔを設けた。具体的には、コネクタハウジング１１ａの４つの表面のうち３つの表面（図３（ａ）中の左方、上方及び右方の各表面）に１つずつ、異なる体裁の姿勢合わせマーク１５ｒ，１５ｓ，１５ｔをそれぞれ取り付けた。
【００９０】
また、本実施形態のコネクタユニット１０では、図３（ｂ）〜（ｄ）の説明図に模式的に示すように、ＲＳ相、ＳＴ相及びＴＲ相の各負荷側コネクタ１３ａ〜１３ｃに、ＲＳ相、ＳＴ相及びＴＲ相の識別マーク１７ｒ，１７ｓ，１７ｔをそれぞれ設けた。
【００９１】
具体的には、図３（ｂ）に示すように、ＲＳ相の負荷側コネクタ１３ａの、電源側コネクタ１１と嵌合した際にコネクタハウジング１１ａのＲＳ相の姿勢合わせマーク１５ｒを設けた表面に連なるコネクタハウジング１３ｄの表面（図３（ｂ）の右方の表面）に、姿勢合わせマーク１５ｒと同じ体裁のＲＳ相の識別マーク１７ｒを取り付けた。
【００９２】
また、図３（ｃ）に示すように、ＳＴ相の負荷側コネクタ１３ｂの、電源側コネクタ１１と嵌合した際にコネクタハウジング１１ａのＳＴ相の姿勢合わせマーク１５ｓを設けた表面に連なるコネクタハウジング１３ｄの表面（図３（ｂ）の上方の表面）に、姿勢合わせマーク１５ｓと同じ体裁のＳＴ相の識別マーク１７ｓを取り付けた。
【００９３】
さらに、図３（ｄ）に示すように、ＴＳ相の負荷側コネクタ１３ｃの、電源側コネクタ１１と嵌合した際にコネクタハウジング１１ａのＴＲ相の姿勢合わせマーク１５ｔを設けた表面に連なるコネクタハウジング１３ｄの表面（図３（ｃ）の左方の表面）に、姿勢合わせマーク１５ｔと同じ体裁のＴＲ相の識別マーク１７ｔを取り付けた。
【００９４】
このため、例えば、図４の斜視図に示すように、負荷側コネクタ１３ａを電源側コネクタ１１と嵌合する際には、負荷側コネクタ１３ａの識別マーク１７ｒを取り付けた表面が、電源側コネクタ１１の同じ体裁の姿勢合わせマーク１５ｒを取り付けた表面に連なるか否かを確認する。
【００９５】
また、負荷側コネクタ１３ｂ，１３ｃを電源側コネクタ１１と嵌合する際も、負荷側コネクタ１３ｂ，１３ｃの識別マーク１７ｓ，１７ｔを取り付けた表面が、電源側コネクタ１１の同じ体裁の姿勢合わせマーク１５ｓ，１５ｔを取り付けた表面に連なるか否かを確認する。
【００９６】
この確認を行うことによって、負荷側コネクタ１３ａ〜１３ｃを電源側コネクタ１１と嵌合する際に、各負荷側コネクタ１３ａ〜１３ｃが電源側コネクタ１１に対して正しい姿勢であるかどうかを判断することができる。
【００９７】
なお、各姿勢合わせマーク１５ｒ，１５ｓ，１５ｔや識別マーク１７ｒ，１７ｓ，１７ｔの体裁は、例えば、マークの色、柄、形状（三角形、四角形等）の使い分けによって、互いに異ならせることができる。
【００９８】
そして、本実施形態の電源ケーブルユニット１によれば、電源側コネクタ１１と嵌合する負荷側コネクタ１３ａ〜１３ｃを使い分けることで、負荷側コネクタ１３（１３ａ〜１３ｃ）の端子スリーブ１３ｒ，１３ｓ（１３ｓ，１３ｔ、１３ｔ，１３ｒ）が接続される端子ピン１１ｒ，１１ｓ（１１ｓ，１１ｔ、１１ｔ，１１ｒ）の内訳が変わる。
【００９９】
このため、電源側コネクタ１１と嵌合する負荷側コネクタ１３ａ〜１３ｃによって、電源側コネクタ１１から負荷側コネクタ１３ａ〜１３ｃに供給される電力の相が、ＲＳ相のみ、ＳＴ相のみ、ＴＲ相のみの３パターンに分かれる。
【０１００】
したがって、各負荷側コネクタ１３ａ〜１３ｃに接続する各接続ケーブル９ａ〜９ｃを共通のケーブルで構成しても、各接続ケーブル９ａ〜９ｃを接続した各照明装置２００に分配する三相交流電源の相の内訳を、接続ケーブル９ａ〜９ｃ毎に異ならせることができる。
【０１０１】
よって、複数の照明装置２００を３つのグループに分けて、各グループの照明装置２００に三相交流電源の一部の相の電力を分配する際に、一部の相の電力に偏ることなく各相の電力を均等に分配することができる。
【０１０２】
また、照明装置２００の交換による仕様変更が生じて、交換後の照明装置２００に交換前の照明装置２００とは異なる相の電力を供給する必要が生じても、接続ケーブル９ａに接続する負荷側コネクタ１３（１３ａ〜１３ｃ）の種類を変える簡便な作業で、照明装置２００の仕様変更に対応することができる。
【０１０３】
その上、ロックビーク１１ｆとロックアーム１３ｐとの係止構造や、誤嵌合防止キー１１ｃの誤嵌合防止キー溝１３ｉへの挿入構造を省略すれば、電源側コネクタ１１に嵌合する姿勢を回転方向Ｙに変えることで、同じ構造の負荷側コネクタ１３を用いて各グループの照明装置２００に分配する三相交流電源の電力の相を異ならせることができる。
【０１０４】
本実施形態のコネクタユニット１０では、電源側コネクタ１１及び負荷側コネクタ１３（１３ａ〜１３ｃ）の端子収容室１１ｄ，１３ｏに、接地用の端子ピン１１ｅや端子スリーブ１３ｅをそれぞれ配置した。しかし、接地用の端子ピン１１ｅや端子スリーブ１３ｅを、電源側コネクタ１１及び負荷側コネクタ１３（１３ａ〜１３ｃ）の端子収容室１１ｄ，１３ｏに配置しない構成としてもよい。
【産業上の利用可能性】
【０１０５】
本発明は、三相交流電源の電力を複数の負荷に分配する電源ケーブルユニットやコネクタユニットに適用して極めて有用である。
【符号の説明】
【０１０６】
１  電源ケーブルユニット
３  幹線ケーブル
３ｅ  幹線ケーブル接地線
３ｒ，３ｓ，３ｔ  幹線ケーブル給電線
５  分岐ケーブル
５ｅ  分岐ケーブル接地線
５ｒ，５ｓ，５ｔ  分岐ケーブル給電線
７  分岐部
７ａ  絶縁モールド
９  接続ケーブル
９ａ  ＲＳ相の接続ケーブル
９ｂ  ＳＴ相の接続ケーブル
９ｃ  ＴＲ相の接続ケーブル
９ｅ  接続ケーブル接地線
９ｒ，９ｓ，９ｔ  接続ケーブル給電線
１０  コネクタユニット
１１  電源側コネクタ
１１ａ  電源側コネクタのコネクタハウジング
１１ｂ  電源側コネクタのコネクタフード
１１ｃ  誤嵌合防止キー
１１ｄ  電源側コネクタの端子収容室
１１ｅ  接地用の端子ピン（電源側コネクタの接地用端子）
１１ｆ  ロックビーク
１１ｇ  芯出し溝
１１ｒ，１１ｓ，１１ｔ  給電用の端子ピン（電源側端子）
１３  負荷側コネクタ
１３ａ  ＲＳ相の負荷側コネクタ
１３ｂ  ＳＴ相の負荷側コネクタ
１３ｃ  ＴＲ相の負荷側コネクタ
１３ｄ  負荷側コネクタのコネクタハウジング
１３ｅ  接地用の端子スリーブ（負荷側コネクタの接地用端子）
１３ｆ  負荷側コネクタのコネクタフード
１３ｇ  フロントホルダ
１３ｈ  環状空間
１３ｉ  誤嵌合防止キー溝
１３ｊ，１３ｋ，１３ｌ，１３ｍ  ピン挿入孔
１３ｎ  芯出し突起
１３ｏ  負荷側コネクタの端子収容室
１３ｐ  ロックアーム
１３ｒ，１３ｓ，１３ｔ  給電用の端子スリーブ（負荷側端子）
１５ｒ  ＲＳ相の姿勢合わせマーク
１５ｓ  ＳＴ相の姿勢合わせマーク
１５ｔ  ＴＲ相の姿勢合わせマーク
１７ｒ  ＲＳ相の識別マーク
１７ｓ  ＳＴ相の識別マーク
１７ｔ  ＴＲ相の識別マーク
１００  トンネル（設備）
２００  照明装置（負荷）
Ｘ  コネクタフード奥行き方向（嵌合方向）
Ｙ  回転方向
【図１】
2019102171.tif 000003
【図２】
2019102171.tif 000004
【図３】
2019102171.tif 000005
【図４】
2019102171.tif 000006